(57)【特許請求の範囲】
【請求項１】
内面を鏡面とする頂角を他の角より小さくした２等辺３角形中空筒体からなる万華鏡本体と、オルゴール支持具に固定されたオルゴールと、直径を２等辺３角形の高さの約２倍以下とした円筒の外周表面にオブジェクト片が接着されたオブジェクト円筒とからなり、オブジェクト円筒をオブジェクト円筒の中心軸がオルゴールのドラムの回転軸と一致するように着脱可能に取り付け、オルゴールのドラムの回転に連動させてオブジェクト円筒を回転させながら、万華鏡本体を万華鏡本体支持具に固定した状態で、万華鏡本体の内面を鏡面とする２等辺３角形中空筒体の底辺がオブジェクト円筒の中心軸と平行となるように、万華鏡本体の一端を、オブジェクト片が接着された外周表面に垂直に対向させ、オブジェクト円筒の外周表面が万華鏡本体の内面を鏡面とする２等辺３角形中空筒体の頂角側から底辺側に回転するように、且つ２等辺３角形の頂角をオブジェクト円筒の中心軸上に位置させるようにして、万華鏡本体によりオブジェクト円筒のオブジェクト片が接着された外周表面を見るように構成したことを特徴とする万華鏡装置。
【発明の詳細な説明】
【発明の詳細な説明】
【技術分野】
【０００１】  本発明は、オルゴールの曲を聞きながら、オブジェクト円筒の回転につれて変化するきれいな球状の画像を楽しむことができるとともに、オブジェクト円筒を簡単に取り替えることができるので簡単に異なる球状の画像を楽しむことができる万華鏡装置に関する。
【背景技術】
【０００２】  従来、万華鏡装置としては、モーター又は手動にてオブジェクト部を回転させるものであり、モーターにてオブジェクト部を回転させるものの場合は、オブジェクト部をゆっくり回転させるために減速機構が必要であり、機構が複雑になり高価になるという欠点があるし、手動にてオブジェクト部を回転させるものの場合は、手でオブジェクト部を回転させる動作が煩雑になるという欠点を有している。また、上記の欠点を改良したオルゴールを使用した万華鏡としては、オルゴールと、内部を鏡面とする多角中空筒体の一端に接眼部が形成され、多角中空筒体の他端をオブジェクトケースに対向させた万華鏡を備え、オルゴールの回転ドラムの回転に連動させ、オブジェクトケースの回転によりオブジェクトケース内のオブジェクト片を可動させる万華鏡装置（例えば、特許文献１参照）が知られている。【特許文献１】特開２００３−２２８０１９号公報
【０００３】  しかしながら、上記の万華鏡装置では、オルゴールの回転ドラムの回転に連動させてオブジェクトケースを回転させる機構が複雑であるとともに、回転につれて変化するオブジェクトは、オブジェクトケース内に収納されているオブジェクト片を可動させる方式であり、所定の画像が繰り返し見られる構成ではないという欠点を有している。
【発明の開示】
【発明が解決しようとする課題】
【０００４】  本発明の目的は、オルゴールの曲を聞きながら、オブジェクト円筒の回転につれて変化するきれいな球状の画像を楽しむことができるとともに、オブジェクト円筒を簡単に取り替えることができるので異なる球状の画像を簡単に楽しむことができる万華鏡装置を提供することにある。
【課題を解決するための手段】
【０００５】  本件発明の万華鏡装置は、内面を鏡面とする頂角を他の角より小さくした２等辺３角形中空筒体からなる万華鏡本体と、オルゴール支持具に固定されたオルゴールと、直径を２等辺３角形の高さの約２倍以下とした円筒の外周表面にオブジェクト片が接着されたオブジェクト円筒とからなり、オブジェクト円筒をオブジェクト円筒の中心軸がオルゴールのドラムの回転軸と一致するように着脱可能に取り付け、オルゴールのドラムの回転に連動させてオブジェクト円筒を回転させながら、万華鏡本体を万華鏡本体支持具に固定した状態で、万華鏡本体の内面を鏡面とする２等辺３角形中空筒体の底辺がオブジェクト円筒の中心軸と平行となるように、万華鏡本体の一端を、オブジェクト片が接着された外周表面に垂直に対向させ、オブジェクト円筒の外周表面が万華鏡本体の内面を鏡面とする２等辺３角形中空筒体の頂角側から底辺側に回転するように、且つ２等辺３角形の頂角をオブジェクト円筒の中心軸上に位置させるようにして、万華鏡本体によりオブジェクト円筒のオブジェクト片が接着された外周表面を見るように構成したことを特徴とする万華鏡装置である。
【発明の効果】
【０００６】  本件発明の万華鏡装置とすることにより、オルゴールのネジを巻くことにより、オルゴールの曲を聞きながら、オルゴールのドラムの回転に連動して回転するオブジェクト円筒の外周表面に接着されたオブジェクト片により出現する変化に富んだきれいな球状の画像を楽しむことができる。
【発明を実施するための最良の形態】
【０００７】  以下、図面を引用して本発明の実施の形態を説明する。  図１は削除、図２は削除、図３は削除、図４は本発明の実施形態を示す斜視図、図５は本発明の実施形態においてオブジェクト円筒をオルゴールに取り付ける機構を示す断面図、図６はオルゴールのドラムと突出棒分解図であり、２は万華鏡本体、３はオルゴール、３１はドラム、３２はバネ、３３はネジ、３４，３５はギア、６は万華鏡本体支持具、７はオルゴール支持具、８はオブジェクト円筒、８１は円筒、８２はオブジェクト片、８３は突出棒、８４は下地柄シート体、１０は基台をそれぞれ表す。【０００８】  本発明の実施形態は、図４に示すとおりであって、内面を鏡面とする２等辺３角形中空筒体からなる万華鏡本体２と、万華鏡本体２を支持するとともに万華鏡本体２の高さ及び角度を変えることのできる万華鏡本体支持具６と、オブジェクト円筒８と、オルゴール３と、オルゴール３を固定するとともに斜めに傾斜させることのできるオルゴール支持具７と、基台１０とからなり、万華鏡本体２は、内面を鏡面とする２等辺３角形の底辺がオブジェクト円筒８の中心軸と平行となるように、オブジェクト円筒８の外周表面に対向させるように取り付けられ、万華鏡本体支持具６とオルゴール支持具７は基台１０に固定されている構成である。なお、本実施形態において、オルゴールを斜めに傾斜させるための斜め台を使用してオルゴールを直接基台上に載置してもよいし、万華鏡本体支持具を三脚の構成としてもよい。【０００９】  実施形態において、オルゴール３にオブジェクト円筒８を着脱可能に取り付ける機構は、図５に示すように、オブジェクト円筒８は、円筒８１の外周表面に貼付けられた下地柄シート体４４上にオブジェクト片８２が接着され、円筒８１の回転軸の方向に一方の側に突出する突出棒８３が形成された構成からなっており、突出棒８３をオルゴール３のドラム３１の回転軸に差し込んでオブジェクト円筒８をオルゴール３に固定した構成である。したがって、オブジェクト円筒８の突出棒８３をオルゴール３のドラム３１の回転軸の内部に差し込むことにより取り付けが可能となり、オブジェクト円筒８の突出棒８３をドラム３１の回転軸から抜き取ることによりオブジェクト円筒８を取り替えることができるので、オブジェクト円筒８をオルゴール３に簡単に着脱できるものである。【００１０】  実施形態の場合、オルゴール３のネジ３３を巻くことによりドラム３１を回転させて音楽を聞きながら、ドラム３１に取り付けられているオブジェクト円筒８を回転させることができるので、ドラム３１と連動して回転するオブジェクト円筒８の外周表面に接着されている下地柄シート体８４上のオブジェクト片８２を万華鏡本体２にて見ることができる。万華鏡本体２は万華鏡本体支持具６に取り付けられて万華鏡本体２の高さ及び上下左右の角度が変えられるようになっており、オブジェクト円筒８の外周表面に接着されているオブジェクト片８２の見る領域及び角度を調整し、所定の画像を楽しむことができる。第３実施形態の場合は球状の画像となるので、万華鏡本体２で見ると花火が打ち上がるような動きのある画像を楽しむことができる。【００１１】  実施形態においては、内面を鏡面とする３角中空筒体からなる万華鏡本体２の３枚の鏡面により形成される３角形の頂角をできるだけ小さくした２等辺３角形状とし、オブジェクト円筒８を構成する円筒８１の直径を２等辺３角形の高さの約２倍以下とし、万華鏡本体２とオブジェクト円筒８の位置関係は、オブジェクト円筒８の外周表面が２等辺３角形中空筒体の頂角側から底辺側に回転するように、且つ２等辺３角形の底辺がオブジェクト円筒８の中心軸と平行になるように、２等辺３角形の頂角をオブジェクト円筒８の中心軸上に位置させることにより、きれいな完全な球状の画像を見ることができる。【００１２】  オルゴール３のドラム３１の回転を突出棒８３に伝達する機構は、突出棒８３とオルゴール３のドラム３１の一部を完全に密着させ摩擦力により得る。図６に示すように、突出棒５２，８３の先端は尖っており、上から押さえるとオルゴール３のドラム３１に取り付けられているプラスチック（ギア３４の反対側）の凹部にくい込み、この力で伝達できるようになっている。また、オルゴール３のドラム３１にゴム状の弾性体を入れドラム３１に密着させ、この弾性体に突出棒８３の先端を突き刺し、この力で伝達することもできる。【００１３】  オブジェクト片として使用できる物質としては、丸ビーズ、竹ビーズ、ガラス、水引、ステンレス，銅，真ちゅう等の針金、色輪ゴム、色ひも、布、シール、ネックレス、宝石、ヘアピン、毛糸、ラメ、ホログラム等が好ましい。オブジェクト片だけでは変化がない場合は、下地柄シート体として、カラフルな絵柄シート、合成写真、黒い艶のあるシート、ホログラムシート、布、カラーゴム、蒸着したレインボーシート等を使用し、下地柄シ−ト体上にオブジェクト片を接着することによりより一層きれいな画像を見ることができる。カラフルな絵柄シート、ホログラムシート、合成写真、布、カラーゴム、蒸着したレインボーフィルム等からなるオブジェクト片が一方の表面に接着された下地柄シート体を他方の面にて円筒の外周表面に貼付けることによりオブジェクト円筒とすることができる。オブジェクト片を下地柄シート体に接着するには透明な接着剤を使用し、下地柄シート体を円筒の外周表面に貼付けるには両面粘着テープを使用するのが好ましい。【００１４】  円筒としては、両端が塞がれた金属筒、紙筒、プラスチック筒等の回転軸の位置に一方側に突出する棒状軸が取り付けられた円筒が使用でき、これらの円筒の外周表面にオブジェクト片を直に接着するかないしはオブジェクト片が接着された下地柄シート体を貼付けることによりオブジェクト円筒が作製される。
【図面の簡単な説明】
【００１５】
【図１】削除
【図２】削除
【図３】削除
【図４】本発明の実施形態を示す斜視図。
【図５】実施形態においてオブジェクト円筒をオルゴールに取り付ける機構を示す断面図。
【図６】オルゴールのドラムと突出棒の分解図。
【符号の説明】
【００１６】２  万華鏡本体３  オルゴール３１  ドラム３２  バネ３３  ネジ３４，３５  ギア６  万華鏡本体支持具７  オルゴール支持具８  オブジェクト円筒８１  円筒８２  オブジェクト片８３  突出棒８４  下地柄シート体１０  基台
【図１】
0004210847.tif 000002
【図２】
0004210847.tif 000003
【図３】
0004210847.tif 000004
【図４】
0004210847.tif 000005
【図５】
0004210847.tif 000006
【図６】
0004210847.tif 000007